(57)【特許請求の範囲】
【請求項１】
中空の機構部フレームにハンドルレバーとクレドルとを揺動可能に装着し、クレドルと連動するリンク機構により接点をオンオフさせる配線用遮断器の機構部において、機構部フレームの左右側壁の内面に一対のクレドル軸を形成し、これらのクレドル軸に嵌合されるクレドルの左右側板の軸孔のうち一方を長孔とするとともに、他方の側板の軸孔に近い外側端部を誘い込み用傾斜面としたことを特徴とする配線用遮断器の機構部。
【請求項２】
長孔がクレドルの揺動方向とは異なる方向に延びるものであることを特徴とする請求項１記載の配線用遮断器の機構部。
【発明の詳細な説明】
【技術分野】
【０００１】
本発明は、配線用遮断器の機構部に関するものであり、さらに詳細には組立作業性を高めた配線用遮断器の機構部に関するものである。
【背景技術】
【０００２】
配線用遮断器は回路に過電流等が流れた場合に接点を開放し、回路を遮断する機器である。過電流等の検出はバイメタルや瞬時引き外し装置等の検出手段によって行われ、検出手段の動きは機構部に伝達され、機構部が可動接点を固定接点から急速に引き離して回路を遮断する。
【０００３】
この機構部の構造には様々なタイプがあるが、特許文献１に示されるような比較的大容量の配線用遮断器においては、トグル機構を利用した機構部が用いられている。このトグル式の機構部は、機構部フレーム、クレドル、リンクプレート、ハンドルレバー、ラッチ、反転ばね等から構成されるものである。
【０００４】
トグル式の機構部を用いた配線用遮断器においては、バイメタル等の検出手段の動作を受けてラッチが動作し、これにより掛け金であるクレドルとラッチとの係合部が外れ、各リンク間の力のバランスが崩れて反転ばねの力によりハンドルレバーをトリップ位置まで急速に動かし、ハンドルレバーと連動するクロスバーを引き上げて接点を開くようになっている。
【０００５】
掛け金であるクレドルは機構部フレームに軸ピン（クレドル軸）により枢着されている。このため、従来は機構部フレームの内部にクレドルをセットしたうえで軸ピンを挿入し、かしめて固定していた。しかし機構部フレームの軸孔とクレドルの軸孔とを正確に一致させたうえで軸ピンを挿入しなければならず、クレドルの取付け作業に多くの手間と時間とがかかるという問題があった。
【０００６】
なお、上記の手数を軽減するために、クレドルの軸孔をクレドルの端部にまで開放した形状とし、予め機構部フレームにかしめた軸ピンにはめ込む構造も提案されている。しかし端部が開放された軸孔は強度が低下することが避けられず、軸孔の変形によりクレドルの動作の信頼性が低下するという別の問題があった。
【先行技術文献】
【特許文献】
【０００７】
【特許文献１】特開２０００−１８２５０２号公報
【発明の概要】
【発明が解決しようとする課題】
【０００８】
従って本発明の目的は上記した従来の問題点を解決し、機構部フレームへのクレドルの組立が容易であり、しかもクレドルの動作の信頼性が損なわれるおそれがない配線用遮断器の機構部を提供することである。
【課題を解決するための手段】
【０００９】
上記の課題を解決するためになされた本発明は、中空の機構部フレームにハンドルレバーとクレドルとを揺動可能に装着し、クレドルと連動するリンク機構により接点をオンオフさせる配線用遮断器の機構部において、機構部フレームの左右側壁の内面に一対のクレドル軸を形成し、これらのクレドル軸に嵌合されるクレドルの左右側板の軸孔のうち一方を長孔とするとともに、他方の側板の軸孔に近い外側端部を誘い込み用傾斜面としたことを特徴とするものである。
【００１０】
なお請求項２のように、長孔がクレドルの揺動方向とは異なる方向に延びるものであることが好ましい。
【発明の効果】
【００１１】
本発明によれば、クレドルの左右側板の軸孔のうち一方を長孔とするとともに、クレドルの他方側板の軸孔に近い外側端部を誘い込み用傾斜面としたので、機構部フレームに対してクレドルの左右側板を斜めにしながら押し込むことにより、機構部フレームに予め形成されたクレドル軸に容易にはめ込むことができる。またクレドルの軸孔は長孔であって端部が開放されたものではないため強度が低下することがなく、変形によりクレドルの動作の信頼性が低下することもない。
【００１２】
また請求項２のように長孔がクレドルの揺動方向とは異なる方向に延びるようにしておけば、長孔としたことがクレドルの揺動に悪影響を及ぼすことがない。
【図面の簡単な説明】
【００１３】
【図１】本発明の機構部を組み込んだ配線用遮断器の内部構造を示す斜視図である。
【図２】機構部を含む一部を取り出して示す斜視図である。
【図３】機構部の断面図である。
【図４】機構部フレームにクレドルを組み込んだ状態の斜視図である。
【図５】クレドルの斜視図である。
【図６】クレドルの組み込み途中の説明図である。
【図７】クレドルの組み込み完了状態の説明図である。
【図８】クレドルの長孔の方向を示す機構部の各状態の説明図である。
【図９】機構部がＯＦＦの状態における長孔部分を拡大した説明図である。
【発明を実施するための形態】
【００１４】
以下に本発明の実施形態を示す。
図１は本発明の機構部を組み込んだ配線用遮断器の内部構造を示す斜視図、図２は機構部を含む一部を取り出して示す斜視図である。機構部１は金属製であり、配線用遮断器のケース２の中央に位置する。この配線用遮断器は３極用のもので、何れかの極で過電流等が検出されるとトリガプレート３が機構部１に引外し動作を行わせてクロスバー４を上方に回転させ、クロスバー４に取付けられた３極分の可動接触子５が上方に移動し、回路を遮断することは従来と同様である。
【００１５】
図３は機構部１の断面図である。１０は断面が略コの字状の機構部フレーム、１１はクレドル、１２は第１のリンクプレート、１３は第２のリンクプレート、１４はハンドルレバーである。クレドル１１は機構部フレーム１０に軸ピンをかしめ固定したクレドル軸１５により、機構部フレーム１０内に揺動自在に枢着されている。第１のリンクプレート１２の上端にはＶ字状部１６が形成されており、クレドル１１の上部の折り曲げ片１７にこのＶ字状部１６を係合させることによって、第１のリンクプレート１２はクレドル１１の内側に枢着されている。第１のリンクプレート１２の下端にはリンクピン１８によって第２のリンクプレート１３が枢着されている。第２のリンクプレート１３はクロスバー４に連結されるものである。１９は上端をハンドルレバー１４に係合させ、下端をリンクピン１８に係合させた反転ばねである。
【００１６】
このようにクレドル１１は機構部フレーム１０にクレドル軸１５によって揺動可能に枢着されているのであるが、本発明は機構部フレーム１０へのクレドル１１の組み付けを容易にした点に特徴があるので、以下にその点を詳細に説明する。
【００１７】
図４は機構部フレーム１０にクレドル１１を組み込んだ状態の斜視図であり、図５はクレドル１１のみの斜視図である。図５に示すように、クレドル１１は金属板を断面コの字状に屈曲させて形成されたもので、その左右の側板２０、２１の先端の突起部２２，２３にそれぞれ軸孔２４，２５が形成されている。これらの軸孔２４，２５は機構部フレーム１０にかしめ固定されたクレドル軸１５，１５に嵌め込まれるものであるが、一方の軸孔２４は長孔であり、他方の軸孔２５は円形孔となっている。詳細については後述するが、図５に一点鎖線で示す長孔の長径の方向は、矢印で示すクレドル１１の揺動方向とは異なる方向、好ましくはほぼ直交する方向に延びるようにしておく。
【００１８】
また、長孔が形成された側とは反対側の側板２１は、軸孔２５に近い外側端部を面取りして誘い込み用傾斜面２６を形成している。誘い込み用傾斜面２６は次の図６にも示されるように、先端側が肉薄で軸孔２５側が肉厚となっている。
【００１９】
このような構造のクレドル１１を機構部フレーム１０にクレドル１１を組み込むには、予め機構部フレーム１０に軸ピンをかしめ固定してクレドル軸１５を形成しておき、図６に示すように機構部フレーム１０に対してクレドル１１の左右の側板２０、２１を小角度だけ傾斜させた状態で押し込む。このとき、誘い込み用傾斜面２６が側板２１のクレドル軸１５の先端のフラット面に当たるようにする。クレドル１１は金属製であり多少は内側に撓ませることができる。しかも一方の軸孔２４は長孔である。このために図６の状態から更にクレドル１１を押し込みながら回転させることによって、図７のようにクレドル１１の両側の軸孔２４，２５を機構部フレーム１０の左右のクレドル軸１５，１５に嵌め込むことができる。その後、機構部フレーム１０にハンドルレバー１４、第１のリンクプレート１２、第２のリンクプレート１３、反転ばね１９などが組み込まれる。
なお、この実施形態ではクレドル軸１５は軸ピンをかしめ固定により形成したもので説明したが、圧入固定や溶接固定するものでもよいし、機構部フレーム１０から押し出しで軸部を形成するようにしてもよい。
【００２０】
図８はクレドル１１の長孔２４の方向を示す機構部１の各状態を示しており、図９は機構部1がＯＦＦの状態における長孔２４の部分を拡大したものである。機構部１がＯＮとＯＦＦの時はクレドル１１は掛け止め部に係止され、同じ場所に位置している。このとき、クレドル１１は、ハンドルレバー１４にかけられた反転ばね１９の力により常に上方に付勢される第１のリンクプレート１２に押されて、常に上方に付勢されているので、クレドル軸１５は長孔２４のうち下端に位置するものである。
また、引き外し素子によりトリガーレバーが動作したしたことに起因して、クレドル１１はクレドル軸１５を中心に図面上時計方向に回転することとなるが、クレドル１１は常に上方に付勢されることとなる。クレドル１１はＯＮ、ＯＦＦの時とトリップの時との間の位置では長孔２４は、横方向でなく、縦方向若しくは斜め方向に位置するようにしたので、反転ばね１９の力で常にクレドル１１は常に上方に付勢され、クレドル軸１５は長孔２４のうち常に下端に存在して、クレドル１１はがたつく恐れがないものである。
言い換えれば、クレドル１１がＯＮ、ＯＦＦの時とトリップの時との間の範囲では長孔２４はクレドル軸１５に対して横向きの位置にはならないものとしている。
そうすることによって、クレドル１１をフレーム１０に組み込む方向において長孔２４の長手方向を利用し、組み立て後の動作範囲内では反転ばね１９によってクレドル軸１５は常に長孔２４の一端に位置して、長孔２４がクレドル１１の揺動方向とは異なる方向に延びることとなるので、クレドル１１ががたつくことがないものである。
【００２１】
上記のように、本発明の機構部１は機構部フレーム１０へのクレドル１１の組立が容易である。また軸孔２４、２５は従来のように端部が開放された孔ではないため、変形のおそれもない。しかも長孔がクレドルの揺動方向とは異なる方向に延びるようにしておけば、長孔の内部でクレドル１１が移動することはないので、クレドル１１の揺動に悪影響を及ぼすこともない。
【符号の説明】
【００２２】
１  機構部
２  配線用遮断器のケース
３  トリガプレート
４  クロスバー
５  可動接触子
１０  機構部フレーム
１１  クレドル
１２  第１のリンクプレート
１３  第２のリンクプレート
１４  ハンドルレバー
１５  クレドル軸
１６  Ｖ字状部
１７  折り曲げ片
１８  リンクピン
１９  反転ばね
２０  側板
２１  側板
２２  突起部
２３  突起部
２４  軸孔（長孔）
２５  軸孔（円形孔）
２６  誘い込み用傾斜面
【図１】
0005501203.tif 000002
【図２】
0005501203.tif 000003
【図３】
0005501203.tif 000004
【図４】
0005501203.tif 000005
【図５】
0005501203.tif 000006
【図６】
0005501203.tif 000007
【図７】
0005501203.tif 000008
【図８】
0005501203.tif 000009
【図９】
0005501203.tif 000010